(57)【要約】【課題】個人が所有する携帯電話機を使用して個人認証を可能にする個人認証システムを提供する。【解決手段】赤外線インタフェイス付きの携帯電話機１１の配信用メモリに記憶せしめた会員属性情報とハッシュ値（第１のハッシュ値）とを、赤外線インタフェイス付きのＰＯＳ端末１４で取り込んで管理サーバ１２に送信する。管理サーバ１２では、会員画像情報ＤＢ１２６に記憶されている会員の画像情報に上記会員属性情報を加えた情報に対応するハッシュ値（第２のハッシュ値）をハッシュ値計算部１２４で計算し、この第２のハッシュ値と前記送信された第１のハッシュ値とを照合した結果と、与信・失効情報の調査結果と、上記会員の画像情報とをＰＯＳ端末１４に返信する。【選択図】  図１
2004222140.tif 000002
【特許請求の範囲】
【請求項１】
個人が所有し、通信網に接続された携帯電話機を、前記個人の識別手段として使用させ、会員制システムの個人認証を行うことを可能にする個人認証システムであって、
前記個人の属性情報又は当該属性情報と画像情報とを前記通信網に接続された管理サーバのデータベースに登録する手段と、
前記個人の属性情報又は当該属性情報と前記画像情報とを接合して成るデータに対応する第１のハッシュ値を所定のハッシュ関数により計算する手段と、
少なくとも前記個人の属性情報と前記第１のハッシュ値とを前記個人が所有する携帯電話機に配信して前記携帯電話機の配信用メモリに記憶させる手段と、
前記配信用メモリに記憶されている個人の属性情報と前記第１のハッシュ値とを前記通信網に接続された窓口端末を介して前記管理サーバに送信する手段と、前記送信された個人の属性情報又は当該属性情報と前記画像情報とを接合して成るデータに対応する第２のハッシュ値を前記ハッシュ関数により計算する手段と、
前記送信された第１のハッシュ値と前記計算された第２のハッシュ値とを照合する手段と、
前記照合結果を、前記データベースに登録された前記個人の画像情報に併せて前記窓口端末に送信する手段と、
の各手段を備えたことを特徴とする個人認証システム。
【請求項２】
前記携帯電話機から前記窓口端末へのデータ通信が可能な通信手段を備え、前記携帯電話機の配信用メモリに記憶されている個人の属性情報と前記第１のハッシュ値とを、前記通信手段により前記窓口端末に入力して前記窓口端末から前記管理サーバに送信することを特徴とする請求項１に記載の個人認証システム。
【請求項３】
前記個人の属性情報の前記データベースへの登録完了の通知を、前記管理サーバから、前記通信網に接続されたメールサーバに送信することにより、少なくとも前記個人の属性情報と前記第１のハッシュ値とを前記携帯電話機に配信すべきか否かの選択肢を前記個人に選択させることが可能な前記個人向けのホームページを、前記通信網に接続されたウェブサーバに設置せしめることを特徴とする請求項１又は２に記載の個人認証システム。
【請求項４】
前記計算されたハッシュ値と前記送信されたハッシュ値との前記照合結果に加えて、前記顧客の与信・失効情報による確認結果を、前記管理サーバから、前記窓口端末に送信することを特徴とする請求項１乃至３の何れか一項に記載の個人認証システム。
【請求項５】
個人が所有し、通信網に接続された携帯電話機を、前記個人の識別手段として使用させ、会員制システムの個人認証を行うことを可能にする前記通信網に接続された個人認証サーバであって、
前記個人の属性情報又は当該属性情報と画像情報とをデータベースに登録する手段と、
前記個人の属性情報又は当該属性情報と画像情報とを接合して成るデータに対応する第１のハッシュ値を所定のハッシュ関数により計算する手段と、
少なくとも前記個人の属性情報と前記第１のハッシュ値とを前記個人が所有する携帯電話機に配信して前記携帯電話機の配信用メモリに記憶させる手段と、
前記配信用メモリに記憶されている個人の属性情報と前記第１のハッシュ値とを前記通信網に接続された窓口端末を介して受信する手段と、
前記送信された個人の属性情報又は当該属性情報と前記画像情報とを接合して成るデータに対応する第２のハッシュ値を前記ハッシュ関数により計算する手段と、
前記受信した第１のハッシュ値と前記計算された第２のハッシュ値とを照合する手段と、
前記照合結果を、前記データベースに登録された前記個人の画像情報に併せて前記窓口端末に送信する手段と、
を備えたことを特徴とする個人認証サーバ。
【発明の詳細な説明】
【０００１】
【発明の属する技術分野】
本発明は、個人認証システム及び個人認証サーバに関し、特に、個人が所有する携帯電話機をクレジットカードや会員カードの代わりに使用して個人認証を行うことを可能にする個人認証システム、及び個人認証サーバに関する。
【０００２】
【従来の技術】
【特許文献１】特開２００２−０９９７９９号公報
従来、個人認証システムは、クレジットカードや会員カードによって実施されている。より具体的には、これらのカードを保有している個人に対して、該カードに記録されている会員情報を、既に登録されている会員情報と照合することで、個人を認証する処理を実施している。その後、この個人認証システムにより認証された個人に対して、各種のサービスが提供されている。通常、上記のカードには、磁気記録媒体や半導体メモリ等の記憶媒体が備えられていて、顧客を認証するに必要な会員情報は、この記憶媒体に記録され、認証の必要な時に読み出される。
【０００３】
特許文献１は、携帯電話機を使用した会員サービス提供システムとして、顧客の携帯電話機を使用して会員管理サーバにアクセスして会員登録を行う手段と、この会員に係る情報を、上記会員管理サーバから会員認証データ付きで送信し、この会員認証データにより顧客を確認できた場合には、当該会員に係る情報を表示できるようにしたシステムを提案している。
【０００４】
【発明が解決しようとする課題】
しかしながら、上記の従来の個人認証システムは、前述のとおり、クレジットカードや会員カードを保有している個人に対して、該カードに記録されている情報に基づいて個人認証処理を実施しているので、以下のような種々の問題点を有していたのである。
（１）各カード会社またはチェーン店毎にカードが発行されるため、顧客は、多数のカードを持ち歩かなければならず、管理が面倒となり、また、選択的に持ち歩いたとしても、時には、カードが必要な時に不携帯となる可能性もある。
（２）カードを落としたり、紛失したり、盗られたりした場合には、カードの記録内容の改竄等により容易に盗用されてしまう。
（３）カード使用時にカードを小売店等の店員に一時的に預けることとなるが、預けたカードが店員によって悪用される危惧があった。
（４）カードの発行及び郵送のためのコストが掛かる。
【０００５】
本発明は、上記従来の問題点に鑑みてなされたものであって、個人が所有する携帯電話機を、あたかもカードのように使用せしめて個人認証を行うことができる個人認証システムを提供することを目的としている。
【０００６】
また、本発明の他の目的は、個人が所有する携帯電話機の配信用メモリに記憶された会員属性情報が改竄されても、該改竄を見破ることができる個人認証システムを提供することにある。
【０００７】
さらに、本発明の他の目的は、認証を受けようとする個人と、登録された個人の画像とを、窓口端末の担当者が最終的に目視によって照合することにより認証の信頼性を高めることができる個人認証システムを提供することにある。
【０００８】
また、本発明の他の目的は、個人が所有する携帯電話機を、あたかもカードのように使用せしめて個人認証を行うことができる個人認証サーバを提供することにある。
【０００９】
また、本発明の他の目的は、個人が所有する携帯電話機の配信用メモリに記憶された会員属性情報が改竄されても、該改竄を見破ることができる個人認証サーバを提供することにある。
【００１０】
さらに、本発明の他の目的は、認証を受けようとする個人と、登録された個人の画像とを、窓口端末の担当者が最終的に目視によって照合することにより認証の信頼性を高めることができる個人認証サーバを提供することにある。
【００１１】
【課題を解決するための手段】
上記課題を解決するために、本発明は、個人が所有し、通信網に接続された携帯電話機を、前記個人の認証手段として使用させ、会員制システムの個人認証を行うことを可能にする個人認証システムであって、前記個人の属性情報又は当該属性情報と画像情報とを前記通信網に接続された管理サーバのデータベースに登録する手段と、前記個人の属性情報又は当該属性情報と画像情報とを接合して成るデータに対応する第１のハッシュ値を所定のハッシュ関数により計算する手段と、少なくとも前記個人の属性情報と前記第１のハッシュ値とを前記個人が所有する携帯電話機に配信して前記携帯電話機の配信用メモリに記憶させる手段と、前記配信用メモリに記憶されている個人の属性情報と前記第１のハッシュ値とを前記通信網に接続された窓口端末を介して前記管理サーバに送信する手段と、前記送信された個人の属性情報又は当該属性情報と前記画像情報とを接合して成るデータに対応する第２のハッシュ値を前記ハッシュ関数により計算する手段と、前記送信された第１のハッシュ値と前記計算された第２のハッシュ値とを照合する手段と、前記照合結果を、前記データベースに登録された前記個人の画像情報に併せて前記窓口端末に送信する手段とを備えたことを特徴した個人認証システムを提供するものである。
【００１２】
これにより、本発明は、個人が所有する携帯電話機を、あたかもカードのように使用せしめて個人認証を行うことができると共に、前記携帯電話機の配信用メモリに記憶されている会員属性情報が改竄されたとしても、該改竄を見破ることができる個人認証システムを実現したのである。また、認証を受けようとする個人と、登録された個人の画像とを、窓口端末の担当者が最終的に目視によって照合することにより、認証の信頼性を一層高めることができる個人認証システムを実現している。
【００１３】
ここで、本個人認証システムにおいては、前記携帯電話機から前記窓口端末へのデータ通信が可能な通信手段を備え、前記携帯電話機の配信用メモリに記憶されている個人の属性情報と前記第１のハッシュ値とを、前記通信手段により前記窓口端末に入力して前記窓口端末から前記管理サーバに送信することにより、既に実用されている信頼性の高い通信手段を使用して、前記携帯電話機の配信用メモリに記憶されている会員情報を、前記窓口端末を介して前記管理サーバに送信せしめて個人認証を行うことができる個人認証システムを実現している。
【００１４】
また、本個人認証システムにおいて、前記個人の属性情報と画像情報との前記データベースへの登録完了の通知を、前記管理サーバから、前記通信網に接続されたメールサーバに送信することにより、少なくとも前記個人の属性情報と前記第１のハッシュ値とを前記携帯電話機に配信すべきか否かの選択肢を前記個人に選択させることが可能な前記個人向けのホームページを、前記通信網に接続されたウェブサーバに設置せしめることを特徴とする。これにより、新規会員のための登録業務と会員情報の配信業務との信頼性とセキュリティとを高めると共に、前記個人が要求した時に、前記個人の会員情報を前記個人の携帯電話機に送出することができる個人認証システムを実現している。
【００１５】
さらに、本個人認証システムにおいて、前記計算されたハッシュ値と前記送信されたハッシュ値との前記照合結果に加えて、前記顧客の与信・失効情報による確認結果を、前記管理サーバから、前記窓口端末に送信することにより、認証及び審査を併せて行うことができる個人認証システムを実現している。
【００１６】
本発明は、さらに、個人が所有し、通信網に接続された携帯電話機を、前記個人に、あたかもカードのように使用せしめて、会員制システムの個人認証を行うことを可能にする前記通信網に接続された個人認証サーバであって、前記個人の属性情報又は当該属性情報と画像情報とをデータベースに登録する手段と、前記個人の属性情報又は当該属性情報と画像情報とを接合して成るデータに対応する第１のハッシュ値を所定のハッシュ関数により計算する手段と、少なくとも前記個人の属性情報と前記第１のハッシュ値とを前記個人が所有する携帯電話機に配信して前記携帯電話機の配信用メモリに記憶せしめる手段と、前記配信用メモリに記憶されている個人の属性情報と前記第１のハッシュ値とを前記通信網に接続された窓口端末を介して受信する手段と、前記送信された個人の属性情報又は当該属性情報と前記画像情報とを接合して成るデータに対応する第２のハッシュ値を前記ハッシュ関数により計算する手段と、前記受信した第１のハッシュ値と前記計算された第２のハッシュ値とを照合する手段と、前記照合結果を、前記データベースに登録された前記個人の画像情報に併せて前記窓口端末に送信する手段とを備えたことを特徴とした個人認証サーバを提供するものである。
【００１７】
これにより、本発明は、個人が所有する携帯電話機を、あたかもカードのように使用せしめて個人認証を行うことができると共に、前記携帯電話機の配信用メモリに記憶されている会員属性情報が改竄されたとしても、該改竄を見破ることができる個人認証サーバを実現している。また、認証を受けようとする個人と、登録された個人の画像とを、窓口端末の担当者が最終的に目視によって照合することにより、認証の信頼性を一層高めることができるのである。
【００１８】
【発明の実施の形態】
以下、本発明の個人認証システムの実施の形態について、図面を参照して詳細に説明する。
【００１９】
なお、本発明に係る個人認証サーバについては、個人認証システムに含まれる構成要素であることから、このサーバに関する説明は以下の説明に含まれる。
【００２０】
図１は、本発明に係る実施形態の個人認証システムの構成を示す構成図である。
【００２１】
図１において、本発明の個人認証システムの実施の形態は、各構成要素を通信可能に接続する通信網１０と、１以上の個人が所有する赤外線インタフェイス付きの複数の携帯電話機１１（１１ａ〜１１ｎ）と、個人認証サービスを実施する管理サーバ１２と、個人認証サービスを受ける会員の認証に必要な会員情報をウェブ上で配信手続きするウェブサーバ１３と、携帯電話機１１の情報を取り込んで個人を認証する窓口となる赤外線インタフェイス付きの１つ以上のＰＯＳ端末１４（窓口端末）とを備えて構成されている。
【００２２】
携帯電話機１１は、赤外線インタフェイスとメモリを備えた赤外線配信部１１１と、入力情報や受信したデータを表示する表示部１１２と、指令やデータを入力するための入力部１１３と、他の構成要素と通信網１０を介した通信を行う通信部１１４と、全体を制御する制御部１１５とを具備する。
【００２３】
管理サーバ１２は、他の構成要素と通信網１０を介した通信を行う通信部１２１と、指令やデータを入力するための入力部１２２と、制御内容／受信データ／管理データ／入力データ等を表示するための表示部１２３と、会員情報に対応するハッシュ値を計算するハッシュ値計算部１２４と、取り込んだ各会員の属性情報を記憶する会員属性情報ＤＢ（データベース）１２５と、取り込んだ各会員の画像情報を記憶する会員画像情報ＤＢ（データベース）１２６とを具備する。
【００２４】
ウェブサーバ１３は、少なくとも、他の構成と通信網１０を介した通信を行う図示しない通信部を備え、各会員共通のホームページを設置して開設するデータベースと共に、該ホームページのＵＲＬ（Ｕｎｉｆｏｒｍ  Ｒｅｓｏｕｒｃｅ  Ｌｏｃａｔｏｒ）と、正規会員対応のホームページ及びそのＵＲＬとを記録した図示しないデータベースとを具備するものとする。
【００２５】
ＰＯＳ端末１４は、少なくとも、他の構成と通信網１０を介した通信を行う図示しない通信部と、携帯電話機１１の赤外線配信用メモリに記憶されている会員情報を取り込むための図示しない赤外線インタフェイスとメモリとを具備するものとする。
【００２６】
通信網１０は、公衆電話網、携帯電話網、インターネット網、及び私設のＬＡＮ（Ｌｏｃａｌ  Ａｒｅａ  Ｎｅｔｗｏｒｋ）等を含めて構成することができる通信網の総体を示すものとする。
【００２７】
以下、本発明の個人認証システムの運営及び利用形態の例について説明する。
【００２８】
図２は、本発明に係る実施形態の個人認証システムのカード申込書書式と、携帯電話機及びＰＯＳ端末に表示される各表示画面との各１例を示す説明図である。
【００２９】
図３は、本発明に係る実施形態の個人認証システムの主要な構成要素間を流れる情報の流れと、その順序を示すデータフロー図である。
【００３０】
以下の説明では、説明の便宜上、新規に入会を希望する顧客の所有する携帯電話機を、図１に示す携帯電話機１１ａとする。また、図３では省略しているが、新規会員通知（Ｐ１）以降の、各構成要素間で交信される情報にも、必要に応じて、入会する新規会員の会員番号が含められるものとする。
【００３１】
管理サーバ１２の制御部１２７は、例えばクレジットシステムに入会希望の顧客が、例えば、図２（ａ）に示す「カード申込書書式」を用いて記入し、かつ事前審査に合格した情報（ここでは、図３に示すカード申込書（Ｄ１）に記された情報とする）を、入力部１２２を介して入力すると、まず、この新規会員に対して会員番号を割り付ける（発行する）。その後、前述のカード申込書（Ｄ１）に記された情報（当該顧客の姓、名前、住所、携帯電話機のメールアドレス（即ち、携帯電話機１１ａのメールアドレス）、その他の特記事項）を会員属性情報として会員属性情報ＤＢ１２５（データベース）に登録する。また、この顧客の画像データ（顔写真等）を入力部１２２を介して入力し、会員画像情報ＤＢ１２６（データベース）に登録する。この登録が完了すると、制御部１２７は、通信部１２１から、通信網１０を介して、ウェブサーバ１３に、上記会員番号を含む新規会員通知（Ｐ１）を送信する。
【００３２】
上記送信の応答として、ウェブサーバ１３から、当該会員向けのホームページへのリンクを含む追加完了通知（Ｐ２）が、通信網１０を介して送信されてくる。これにより、管理サーバ１２の制御部１２７は、この追加完了通知（Ｐ２）に含まれる会員番号をキーとして会員属性情報ＤＢ１２５を検索し、当該会員の携帯電話メールアドレスを取り出し、この携帯電話機のメールアドレス宛てに、同じく上記追加完了通知（Ｐ２）に含まれる当該会員向けのホームページへのリンクを含む会員登録準備完了通知（Ｐ３）を作成し、通信部１２１から、図示しないメールサーバを経由して通信網１０を介して送信する。上記携帯電話機１１ａの表示部では、この会員登録準備完了通知（Ｐ３）を図２（ｂ）に示す「会員登録準備完了画面」として表示する。その後、この新規会員が、この会員登録準備完了画面の「ホームベージへのリンク」をクリックすると、上記携帯電話機１１ａの表示部１１２ａには、図２（ｃ）に示す「会員情報取得画面」が表示され、これにより、当該会員が、「ＹＥＳ」のボタンをクリックすることにより、管理サーバ１２には、ウェブサーバ１３を介して、当該会員の会員情報送信要求（Ｐ５）が送信される。
【００３３】
これにより、管理サーバ１２の制御部１２７は、会員属性情報ＤＢ１２５に登録されている当該会員の属性情報と、会員画像情報ＤＢに登録されている当該会員の画像情報とを接合して成るデータをハッシュ値計算部１２４へのパラメータとして入力して、ハッシング処理せしめ、その結果として得られるハッシュ値（第１のハッシュ値）と当該会員の属性情報又は当該会員の属性情報と画像情報を含む会員情報（Ｐ６）を、通信部１２１から、ウェブサーバ１３及び通信網１０を介して、当該会員の携帯電話機１１に送信する。当該会員の携帯電話機１１ａでは、この会員情報（Ｐ６）を、赤外線配信部１１１ａに備えられた赤外線配信用のメモリに格納する。これにより、この新規会員は、自己が所有する携帯電話機１１ａを、あたかもクレジットカードのようにして使用することが可能となる。従って、上記した本発明の会員認証システムにおいては、会員の画像情報は会員画像情報ＤＢに登録されたものを使用するように構成されているが、会員情報（Ｐ６）に画像情報を含めて送信し、当該会員が所有する携帯電話機内に格納された画像情報を使用するように構成してもよい。
【００３４】
携帯電話機１１ａは、上記の会員情報（会員属性情報とハッシュ値）を取得した後、当該会員の必要に応じて、あたかもクレジットカードのようにして使用される。より具体的には、当該会員は、自己が所有する携帯電話機１１ａの図示しない赤外線送信部をＰＯＳ端末１４の図示しない赤外線受信部に向け、入力部１１３ａにより送信操作を行う。これにより、赤外線配信部１１１ａに備えられた図示しない赤外線配信用のメモリに格納されている上記の会員情報が、赤外線メモリ配信情報（Ｐ７）として、ＰＯＳ端末１４に赤外線配信され、ＰＯＳ端末１４の赤外線インタフェイスを備えた図示しない赤外線情報入力部によって、図示しないメモリに取り込まれる。その後、上記の会員情報は、認証要求（Ｐ８）に含められて、ＰＯＳ端末１４から管理サーバ１２に、通信網１０を介して送信される。
【００３５】
管理サーバ１２の制御部１２７は、上記送信された会員情報のうち、会員属性情報を会員画像情報ＤＢ１２６に格納されている当該会員の画像情報と接合し、該接合したデータをハッシュ値計算部１２４へ入力するパラメータとしてハッシング処理せしめ、その結果として得られるハッシュ値（第２のハッシュ値）と、前述の認証要求（Ｐ８）に含められているハッシュ値（第１のハッシュ値）とを照合し、その結果（一致／不一致）により、ハッシュ値の照合による合否を決定する。また、必要に応じて、当該顧客の与信・失効情報を図示しないデータベースを検索して取り出し、その内容を確認し、その結果により、与信・失効情報による合否を決定する。その後、管理サーバ１２は、これら決定された合否の各々を、通信部１２１からＰＯＳ端末１４に、通信網１０を介して返信する。
【００３６】
ＰＯＳ端末１４の窓口担当者は、上記送信されてきたハッシュ値の照合による合否と、与信・失効情報による合否とを、図２（ｄ）に示す表示画面で確認し、さらに、最終的には、表示された会員の画像と、ＰＯＳ端末１４が担当する当該会員の実物画像とを目視により照合することで当該会員の認証を行う。
【００３７】
なお、ウェブサーバ１３は、全ての会員に対して共通の会員システム案内用のホームページを開設すると共に、管理サーバ１２にから送信されてくる個々の会員用のホームページ（図２（ｂ）に示す「ホームページへのリンク」に対応するホームページ）も設置するものとする。
【００３８】
図４は、本発明に係る実施形態の個人認証システムの会員登録から会員情報配信までの処理の流れを示すフローチャートである。
【００３９】
以下、図１〜３を参照し、また、図４に示すフローチャートを使用して、本発明の個人認証システムにおける会員登録から会員情報配信までの処理の流れを説明する。
【００４０】
まず、携帯電話機１１ａを所有する入会希望の顧客が、図２（ａ）に示すカード申込書（Ｄ１）に、自己の属性情報（姓、名前、住所、携帯電話機１１ａのメールアドレス、その他の特記事項）を記入する（ステップＳ１）。次に、この顧客は、この記入したカード申込書を、管理サーバ１２に連係する窓口に提示する（ステップＳ２）。
【００４１】
次に、管理サーバ１２に連係する窓口の担当者は、このカード申込書の記入内容と、当該顧客の画像データとを管理サーバ１２の入力部１２３を介して制御部１２７に入力する（ステップＳ３）。その後、管理サーバ１２の制御部１２７は、この入力されたカード申込書の情報を会員属性情報として会員属性情報ＤＢ１２５に登録する。また、上記入力された画像データを、会員画像情報ＤＢ１２６に登録する。
【００４２】
次に、管理サーバ１２の制御部１２７は、当該顧客が新規入会会員であることを示す通知である新規会員通知（Ｐ１）を、ウェブサーバ１３に送信する（ステップＳ４）。
【００４３】
次に、ウェブサーバ１３は、当該新規会員用のホームページを、追加的に設置する（ステップＳ５）。
【００４４】
次に、ウェブサーバ１３は、上記ホームページへのリンク（ＵＲＬ）を含む追加完了通知（Ｐ２）を作成し、これを管理サーバ１２に送信する（ステップＳ６）。
【００４５】
次に、管理サーバ１２は、上記追加完了通知（Ｐ２）に含まれる会員番号をキーとして会員属性情報ＤＢ１２５を検索し、当該会員の会員属性情報を取り出し、当該会員の携帯電話機１１ａのメールアドレス宛てに、上記追加完了通知（Ｐ２）に含まれる上記ホームページへのリンクを含む会員登録準備完了通知（Ｐ３）を送信する（ステップＳ７）。
【００４６】
次に、上記会員登録準備完了通知Ｐ３を受信した会員は、図２（ｂ）に示す「会員登録準備完了通知画面」に表示される上記ホームページへのリンクをクリックすることでウェブサーバ１３が設置する当該会員用のホームページ（図２（ｃ）に示す「会員情報取得画面」）にアクセスし、携帯電話機１１ａを、あたかもクレジットカードとして使用する場合は、会員情報を取得する旨の通知である会員情報取得要求（Ｐ４）をウェブサーバ１３に送信する（ステップＳ８）。
【００４７】
次に、ウェブサーバ１３は、この会員情報取得要求（Ｐ４）により、会員情報送信要求（Ｐ５）を作成して管理サーバ１２に送信する（ステップＳ９）。
【００４８】
次に、管理サーバ１２は、上記会員情報送信要求（Ｐ５）に含まれる会員番号をキーとして会員属性情報ＤＢ１２５を検索し、当該会員の会員属性情報を取り出し、この取り出した会員の属性情報と、会員画像情報ＤＢに登録されている当該会員の画像情報とを接合して成るデータをハッシュ値計算部１２４へのパラメータとして入力して、ハッシング処理せしめ、その結果として得られるハッシュ値と当該会員の属性情報とを含む会員情報（Ｐ６）を、ウェブサーバ１３及び通信網１０を介して当該会員の携帯電話機１１ａに送信する（ステップＳ１０）。
【００４９】
これにより、当該会員の携帯電話機１１ａでは、この会員情報（Ｐ６）が、赤外線配信部１１１ａに備えられた赤外線配信用のメモリに格納されるので、この時点から、この新規会員は、自己が所有する携帯電話機１１ａを、あたかもクレジットカードのようにして使用することが可能となる。
【００５０】
図５は、本発明に係る実施形態の個人認証システムのＰＯＳ端末を窓口とする認証処理の流れを示すフローチャートである。
【００５１】
以下、図１〜３を参照し、また、図５に示すフローチャートを使用して、本実施形態に係る個人認証システムのＰＯＳ端末を窓口とする認証処理の流れを説明する。
【００５２】
まず、認証を受けようとする会員は、自己の携帯電話機１１ａを操作して、赤外線配信用メモリに記憶された赤外線メモリ配信情報（Ｐ７）の内容（会員属性情報とハッシュ値）をＰＯＳ端末１４に入力する（ステップＳ２１）。
【００５３】
次に、ＰＯＳ端末１４は、上記会員属性情報とハッシュ値とを含む認証要求（Ｐ８）を管理サーバ１２に送信して認証処理を要求する（ステップＳ２２）。
【００５４】
次に、管理サーバ１２は、上記送信された会員属性情報を会員画像情報ＤＢ１２６に格納されている当該会員の画像情報と接合し、該接合したデータをハッシュ値計算部１２４へのパラメータとして入力し、ハッシング処理せしめる（ステップＳ２３）、その後、その結果として得られるハッシュ値と、前述の認証要求（Ｐ８）に含められているハッシュ値とを照合し、ハッシュ値の照合による合否を決定する。また、必要に応じて、当該顧客の与信・失効情報を図示しないデータベースを検索して取り出して、その内容を確認し、その結果により、与信・失効情報による合否を決定し、これら決定した合否結果（認証結果）を当該会員の画像データと併せて送信する（ステップＳ２４）。
【００５５】
次に、ＰＯＳ端末１４の担当者は、上記送信されたハッシュ値による合否結果を確認する（ステップＳ２５）。また、与信・失効情報による合否結果を確認する（ステップＳ２６）。さらに、最終的には、上記送信されてきた当該会員の画像データを窓口の顧客の画像と目視により照合する（ステップＳ２７）。これにより、会員の認証処理は完了する。
【００５６】
この実施の形態によれば、携帯電話機１１ａを所有して入会を希望する顧客の属性情報と画像データとを、予め管理サーバ１２のデータベース１２５，１２６に会員情報として登録しておく会員情報登録手段と、この会員の携帯電話機１１ａから、会員情報送信要求が、ウェブサーバ１３を介して管理サーバ１２に送信された時点で、管理サーバ１２が上記顧客の属性情報と画像データとを接合したデータのハッシュ値を計算し、該ハッシュ値を、上記会員の属性情報と併せて上記会員の携帯電話機１１ａに配信して赤外線配信用メモリに記憶せしめる携帯電話機１１ａのカード機能化手段と、上記会員を認証する場合に、この携帯電話機１１ａの赤外線配信用メモリに記憶された上記ハッシュ値と上記会員の属性情報とをＰＯＳ端末１４を介して管理サーバ１１ａに送信せしめ、この送信された会員の属性情報と管理サーバ１２のデータベースに記録されている当該会員の画像データとを接合したデータにより、上記のハッシュ値を求めたハッシュ関数と同じハッシュ関数を使用して再び上記のハッシュ値を計算し、同じく前述の送信されたハッシュ値と照合して両者の一致または不一致を検出する認証手段とを設けたので、会員側から見れば、自己の所有する携帯電話機１１ａを、あたかもクレジットカードのように使用して個人認証を受けることができる効果がある。
【００５７】
尚、上記した本発明の会員認証システムの例においては、会員の画像情報は会員画像情報ＤＢに登録された画像情報を使用するように構成されているが、当該会員が所有する携帯電話機内に格納された画像情報を使用する構成としてもよい。このようにした場合、画像情報をカード会社等に保管されることを嫌う会員に対して安心感を与えることができる。
【００５８】
また、本システムにより自己の携帯電話機１１ａに会員情報を登録した会員が、他人に成りすますために自己の会員情報を他人のものに改竄したとしても、改竄後の会員属性情報から求められるハッシュ値を、当該他人の会員属性情報ＤＢ１２５に登録されているハッシュ値に合わせることは極めて困難であるため、この改竄を見破って、不正使用を発見することができる効果がある。
【００５９】
上記のとおり、本システムにおいて会員属性情報の改竄を見破る機能は、画像情報の有無には左右されないので、画像情報を使用することなく本システムを構成することも可能である。
【００６０】
また、携帯電話機１１ａから送信される会員属性情報とハッシュ値を他人が盗み取り、全く同じデータを送信することができる携帯電話機を作成して会員に成りすますことも考えられる。これを防止するためには、従来の技術においては別途パスワードを会員に入力させる方法等が考えられるが、本発明の方法においては、画像情報を使用することにより、パスワードを併用することなく他人の成りすましを見破ることができる。
【００６１】
また、この実施の形態では、クレジットカードの会員の例で説明したが、本発明は、一般的な会員システムにおける会員の認証に容易に適用可能である。
【００６２】
さらに、この実施の形態では、携帯電話機とＰＯＳ端末との間の通信手段を、赤外線通信インタフェイスを備えた通信手段によって構成する場合として説明したが、本発明は、上記携帯電話機とＰＯＳ端末との間の通信手段を、一般的な通信手段や規格化された通信手段によって構成することが可能である。
【００６３】
さらに、この実施の形態では、携帯電話機の配信用メモリの情報を入力する端末をＰＯＳ端末として説明したが、一般に、本発明は、上記端末を、金融端末を含む一般的な窓口用の端末（窓口端末）とすることが可能である。
【００６４】
なお、本発明に係る個人認証システムの各構成要素の処理の少なくとも一部をコンピュータ制御により実行するものとし、かつ、上記処理を、コンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【００６５】
【発明の効果】
以上説明したように、本発明の個人認証システムによれば、個人が所有する携帯電話機を、あたかもカードのように使用せしめて個人認証を行うことができると共に、前記携帯電話機の配信用メモリに記憶されている会員属性情報が改竄されたとしても、該改竄を見破ることができる個人認証システムを提供することができる。
【００６６】
また、認証を受けようとする個人と、登録された個人の画像とを、ＰＯＳ端末等の窓口端末の担当者が最終的に目視によって照合することにより、認証の信頼性を一層高めることができる個人認証システムを提供することができる。
【００６７】
また、既に実用されている信頼性の高い赤外線通信手段を使用して、前記携帯電話機の配信用メモリに記憶されている会員情報を、前記ＰＯＳ端末等の窓口端末を介して前記管理サーバに送信せしめることが可能なので、製造が容易で、かつデータ通信の信頼性が高い個人認証システムを提供することができる。
【００６８】
また、ウェブサーバを介在させて会員情報を配信することにより、新規会員のための登録業務と会員情報の配信業務との信頼性とセキュリティとを高めると共に、前記個人が必要とするタイミングで、前記個人の会員情報を前記個人の携帯電話機に送出することができる個人認証システムを提供することができる。
【００６９】
さらに、ハッシュ値による照合結果に加えて、与信・失効情報による確認も行うことができ、認証及び審査を併せて行うことができる個人認証システムを提供することができる。さらに、他人が当該会員属性情報とハッシュ値を盗み取った場合に備えても、パスワードを併用することなく他人の成りすましを見破ることができる個人認証システムを提供することができる。
【図面の簡単な説明】
【図１】本発明に係る実施形態の個人認証システムの構成を示す構成図である。
【図２】本発明に係る実施形態の個人認証システムのカード申込書書式と、携帯電話機及びＰＯＳ端末に表示される各表示画面との各１例を示す説明図である。
【図３】本発明に係る実施形態の個人認証システムの主要な構成要素間を流れる情報の流れと、その順序を示すデータフロー図である。
【図４】本発明に係る実施形態の個人認証システムの会員登録から会員情報配信までの処理の流れを示すフローチャートである。
【図５】本発明に係る実施形態の個人認証システムのＰＯＳ端末を窓口とする認証処理の流れを示すフローチャートである。
【符号の説明】
１１、１１ａ〜１１ｎ  携帯電話機
１２  管理サーバ
１３  ウェブサーバ
１４  ＰＯＳ端末（窓口端末）
１１１，１１１ａ〜１１１ｎ  赤外線配信部
１１２，１１２ａ〜１１２ｎ，１２３  表示部
１１３，１１３ａ〜１１３ｎ，１２２  入力部
１１４，１１４ａ〜１１４ｎ，１２１  通信部
１１５，１１５ａ〜１１５ｎ，１２７  制御部
１２４  ハッシュ値計算部
１２５  会員属性情報ＤＢ（データベース）
１２６  会員画像情報ＤＢ（データベース）
【図１】
2004222140.tif 000003
【図２】
2004222140.tif 000004
【図３】
2004222140.tif 000005
【図４】
2004222140.tif 000006
【図５】
2004222140.tif 000007